(57)【要約】【課題】簡易な構成で小型化を促進することができるとともに、ディスク面の傷つきを防止し信頼性に優れたディスクドライブ装置を提供することにある。【解決手段】ディスクドライブ装置は固定部と、固定部に対して伸縮自在に支持された伸縮部３５とを有している。固定部にはディスク駆動部４が支持されている。伸縮部は、伸縮方向に関して伸長位置方向に設けられた先端面と、この先端面に設けられ、記録媒体２３を伸縮方向に沿って挿入、排出するディスク挿入口と、を有している。ディスク駆動部のターンテーブル６ａと記録媒体との間に配置され前記記録媒体とターンテーブルとの接触を規制する規制位置と、ターンテーブルから外れて位置するとともに記録媒体と隙間をおいて対向する退避位置との間を移動可能な保護部材６８が設けられている。保護部材は、伸縮部が縮小位置にある際、規制位置に配置され、伸縮部が伸長位置へ移動した際、退避位置に移動する。【選択図】      図３１
2006236491.tif 000002
【特許請求の範囲】
【請求項１】
ディスク状の記録媒体を支持および回転するターンテーブルを有し、前記記録媒体に対して情報処理を行うディスク駆動部と、
前記ディスク駆動部が載置された固定部と、
前記固定部と重なる縮小位置と、前記固定部から少なくとも一部が突出し前記記録媒体を収納可能なディスク収納領域を形成する伸長位置との間を、所定の伸縮方向に沿って移動可能に支持されているとともに、前記伸縮方向に関して前記伸長位置方向に設けられた先端面と、この先端面に設けられ、前記記録媒体を前記伸縮方向に沿って前記ディスク収納領域に挿入、排出するディスク挿入口と、を有した伸縮部と、
前記記録媒体が前記挿入口を通して所定の挿入位置に挿入された際、前記伸縮方向に沿って前記伸縮部を前記固定部に対して移動させる伸縮駆動機構と、
前記ディスク挿入口を通して前記所定位置に挿入された前記記録媒体を前記ディスク駆動部のターンテーブル上に装填するディスクローディング機構と、
前記ターンテーブルと前記記録媒体との間に配置され前記記録媒体とターンテーブルとの接触を規制する規制位置と、前記ターンテーブルから外れて位置するとともに前記記録媒体と隙間をおいて対向する退避位置との間を移動可能に設けられ、前記伸縮部が縮小位置にある際、前記規制位置に配置され、前記伸縮部が前記伸長位置へ移動した際、前記退避位置に移動する保護部材と、
を備えたディスクドライブ装置。
【請求項２】
前記保護部材は、前記伸縮部が伸長位置に移動した状態において、前記挿入された記録媒体の軸方向に沿って移動可能に設けられ、前期退避位置は、前記規制位置に対し、前記記録媒体の軸方向に沿って前記記録媒体から離間する方向にずれている請求項１に記載のディスクドライブ装置。
【請求項３】
前記保護部材は、前記伸縮部に取り付けられ、前記伸縮部の移動に連動して前記規制位置と退避位置との間を移動可能に設けられている請求項１又は２に記載のディスクドライブ装置。
【請求項４】
前記保護部材は、前記規制位置において、前記所定位置に挿入された記録媒体と対向するとともに、少なくとも一部が前記記録媒体の外径を超えて延出した対向面を有している請求項１又は２に記載のディスクドライブ装置。
【請求項５】
前記保護部材は、前記対向面と反対側に位置した裏面と、この裏面に形成され前記保護部材の移動をガイドするカム部と、を有している請求項４に記載のディスクドライブ装置。
【発明の詳細な説明】
【技術分野】
【０００１】
この発明は、ディスク状の記録媒体に対して情報処理を行うディスクドライブ装置に関し、特に、未使用時においては、サイズを縮小することによってコンパクトな状態とすることが可能な伸縮自在なディスクドライブ装置に関する。
【背景技術】
【０００２】
近年、ディスクドライブ装置は、ディスク駆動機構等の小型化により、装置全体の小型化が著しく進んでいる。しかしながら、依然として、ディスクドライブ装置は、使用する記録媒体としてのディスクのサイズよりも大きいのが一般的である。
【０００３】
通常、ディスクドライブ装置において、ディスクは、装置内部に設けられたディスク収納領域に収納された状態でデータの記録または再生が行われる。従って、ディスクドライブ装置は、ディスク全体を収納できる大きさのディスク収納領域を設ければならないという制約からディスクサイズを越える小型化が困難となっている。そのため、操作性が良く、簡易な構成で、信頼性の優れたディスクドライブ装置を平面型の薄型モニター等に搭載することが難しかった。
【０００４】
現在では、小型化や信頼性の向上の要求に対処するために、様々な構成が考えられている。例えば、特許文献１には、ディスクの下方に移動してきたターンテーブルによってディスクの下面が傷付けられるのを防止するため、ターンテーブルとディスクとの間に介在されるディスク保護部をトレイ（ディスク載置手段）に設けることにより、ディスクの保護と、装置の薄型化を図ることができるようにしたディスクドライブ装置が開示されている。この装置によれば、ターンテーブルが移動する移動軌跡をカバーする位置にディスク保護部を設けることが示されている。
【０００５】
また、特許文献２には、挿入されたディスクをターンテーブルと当接しない位置にガイドする押出しレバーを備えたディスク再生装置が開示されている。この装置によれば、押出しレバーは挿入されたディスクによりディスク引き込み方向に回動され、ディスクをターンテーブルから離間した状態で搬送する。
【特許文献１】特開２００２−１８４０８４号公報（段落番号０００７−００１０、図４７）
【特許文献１】特開２００３−１０９２７３号公報
【発明の開示】
【発明が解決しようとする課題】
【０００６】
しかしながら、特許文献１に示された技術では、ターンテーブルが停止しているときに、ターンテーブルの上にディスクを挿入させる場合、ディスクを保護することができなかった。また、特許文献２に開示された押出し部材は、ディスク再生装置のベース上に設けられ、比較的広い移動範囲を有している。そのため、押出しレバーは、装置を小型化する上で障害となる。
【０００７】
この発明は上記事情を考慮してなされたもので、その目的は、簡易な構成で小型化を促進することができるとともに、ディスク面の傷つきを防止し信頼性に優れたディスクドライブ装置を提供することにある。
【課題を解決するための手段】
【０００８】
この発明の態様に係るディスクドライブ装置は、ディスク状の記録媒体を支持および回転するターンテーブルを有し、前記記録媒体に対して情報処理を行うディスク駆動部と、前記ディスク駆動部が載置された固定部と、前記固定部と重なる縮小位置と、前記固定部から少なくとも一部が突出し前記記録媒体を収納可能なディスク収納領域を形成する伸長位置との間を、所定の伸縮方向に沿って移動可能に支持されているとともに、前記伸縮方向に関して前記伸長位置方向に設けられた先端面と、この先端面に設けられ、前記記録媒体を前記伸縮方向に沿って前記ディスク収納領域に挿入、排出するディスク挿入口と、を有した伸縮部と、前記記録媒体が前記挿入口を通して所定の挿入位置に挿入された際、前記伸縮方向に沿って前記伸縮部を前記固定部に対して移動させる伸縮駆動機構と、前記ディスク挿入口を通して前記所定位置に挿入された前記記録媒体を前記ディスク駆動部のターンテーブル上に装填するディスクローディング機構と、前記ターンテーブルと前記記録媒体との間に配置され前記記録媒体とターンテーブルとの接触を規制する規制位置と、前記ターンテーブルから外れて位置するとともに前記記録媒体と隙間をおいて対向する退避位置との間を移動可能に設けられ、前記伸縮部が縮小位置にある際、前記規制位置に配置され、前記伸縮部が前記伸長位置へ移動した際、前記退避位置に移動する保護部材と、を備えている。
【発明の効果】
【０００９】
本発明の態様によれば、伸縮部を伸長させてディスク収納領域を確保することにより、簡易な構成で小型化を促進することができるとともに、ディスク面の傷つきを防止し信頼性に優れたディスクドライブ装置を提供することができる。
【発明を実施するための最良の形態】
【００１０】
以下、この発明の実施形態について、図面を参照して詳細に説明する。  
図１は、本実施形態に係るディスクドライブ装置２を搭載した平面型の表示装置１を示している。表示装置１は、偏平な箱状の外部筐体１ｃと、外部筐体内に設けられているとともに外部筐体の表示窓に露出した表示面を有する画像表示パネル１ｂと、外部筐体に搭載されたディスクドライブ装置２と、を備えている。ディスクドライブ装置２は、例えば、画像表示パネル１ｂの垂直方向下方に配置され、表示装置１の前面側に位置している。
【００１１】
ディスクドライブ装置２の先端面を構成する前面２ａには後述する記録媒体としてのディスク２３を挿入、排出するディスク挿入口３が設けられている。ディスクドライブ装置２の未使用時、ディスクドライブ装置の前面２ａと外部筐体１ｃの前面とが略同一面となっている。
【００１２】
図２は、ディスクを挿入された使用時の形態を示し、表示装置１の前面に対しディスクドライブ装置２の前面２ａが突出した状態となっている。このとき、突出したことで露出したディスクドライブ装置２の外面に、装置を所定の動作状態や停止状態に設定するための操作キー部７１、及び、ディスクドライブ装置２の内部を可視化できる可視部７２が設けられている。
【００１３】
次に、ディスクドライブ装置２について詳細に説明する。  
図３（ａ）、図３（ｂ）、および図４は、装填されたディスクを支持および回転させディスクに対して情報を読み書きするディスク駆動部４を上面方向から見た平面図および側面図であり、図３（ａ）は、光ピックアップ７がディスク内周と対向する位置に移動した状態、図３（ｂ）は、光ピックアップ７がディスク外周と対向する位置に移動した状態をそれぞれ示している。ディスク駆動部４はほぼ矩形板状のディスク駆動部ベース５を備え、このディスク駆動部ベース５上にディスク駆動モータ６が固定されている。ディスク駆動モータ６はロータを備え、このロータの上部には、ディスク２３を載置するターンテーブル６aが形成されている。ディスク駆動モータ６の回転力によってディスク２３を回転駆動する。
【００１４】
ディスク駆動部ベース５には、光ピックアップ７が取り付けられている。光ピックアップ７は、図示しないレーザダイオード等を備えたピックアップ部７ａと、信号を伝達する第１フレキシブルケーブルであるＦＰＣケーブル７ｂと、ＦＰＣケーブル７ｂに対してディスク２３側に配置され、ディスク外周方向に延長部７ｄを持つ板状の押さえ部材７ｃと、これらを固定するホルダ７ｅ等を有している。ＦＰＣケーブル７ｂは、光ピックアップ７からディスク２３の外周方向に延出した後、ループを作ってディスク駆動部ベース５の裏面側に貼り付けられている。更に、ＦＰＣケーブル７ｂは、ディスク駆動部ベース５の外周方向に延長された後、ディスク駆動モータ６の回転方向上側に曲げられた側面に貼り付けられている。これにより、ディスク駆動ベース５から外方に延出したＦＰＣケーブル７ｂの延出部は、中心がディスク駆動モータ６の回転軸と略平行に延びたループを形成し、図中左上方向に延出している。
【００１５】
光ピックアップ７は、ディスク駆動部ベース５に並列に固定された２本のガイドシャフト８、９によって、ディスク駆動モータ６に接近する内周方向と、ディスク駆動モータ６から離れる外周方向とに移動自在に支持されている。ホルダ７eには、ガイドシャフト８にスライド自在に係合した一対の保持部材７fと、ガイドシャフト９にスライド自在に係合した保持部材７ｇとを有し、保持部材７f、７ｇによって、ガイドシャフト８、９にスライド自在に支持されている。
【００１６】
ガイドシャフト８は、その両端部が支持部材１０、１１によってディスク駆動部ベース５に支持されている。ガイドシャフト９は、その両端部が支持部材１２，１３によってディスク駆動部ベース５に支持されている。これら４個の支持部材１０，１１，１２，１３には、ガイドシャフト８，９とディスク駆動部ベース５との間隔を調整可能な調整機構が設置され、その調整により、光ピックアップ７のチルト調整が行なわれる。
【００１７】
ホルダ７eには、一対の保持部材７fの間に位置したラック部材１４と、このラック部材１４を光ピックアップ７の外側に付勢するバネ部材１５とが固定されている。ラック部材１４には、光ピックアップ７の外側に位置したラック１４ａが形成されている。そして、ラック１４ａは、光ピックアップ７の外側に配置されたステッピングモータ１６のスクリュー部１６ａと歯合している。
【００１８】
これにより、ステッピングモータ１６が回転し、その回転力がスクリュー部１６ａを介してラック部材１４に伝達されると、光ピックアップ７は、ガイドシャフト８，９に沿って、ステッピングモータ１６の回転方向に応じた方向に平行移動される。
【００１９】
第２フレキシブルケーブルであるモータＦＰＣケーブル７０は、ディスク駆動モータ６とステッピングモータ１６に接続され、ディスク駆動部ベース５のディスク駆動モータ６の回転方向上側に曲げられた側面に貼り付けられている。そして、モータＦＰＣケーブル７０の延出部は、中心がディスク駆動モータ６の回転軸と略平行に延びたループを作って図中左方向に延長されている。
【００２０】
図３（ｂ）に示すように、光ピックアップ７がディスク２３の外周と対向する位置に移動した状態において、光ピックアップ７に配置された押さえ部材７ｃは、ディスク外周方向の延長部７ｄが、ディスク駆動部ベース５の外形から、はみ出す形状になっている。
【００２１】
図４に示すように、ターンテーブル６ａにディスク２３を装填した状態において、ディスク駆動部４は、クランプ部材１８との間にディスクを挟装しクランプ状態となる。光ピックアップ７はディスク２３の信号記録面に対向している。このとき、ＦＰＣケーブル７ｂは、ディスク外周方向に延長された後、光ピックアップ７の移動方向およびモータ６の回転軸と直交する方向に延びた軸を中心とするループを作ってディスク駆動部ベース５の裏側に貼り付けられているが、光ピックアップ７に配置された押さえ部材７ｃの延長部７ｄにより、ＦＰＣケーブル７ｂのディスク方向への変位を抑え、ＦＰＣケーブル７ｂがディスクに接触することを防いでいる。これにより、容易な構成でＦＰＣケーブル７ｂがディスクに接触することを防ぐことができる。また、接触防止用の別部材を設ける必要がないため、接触防止用の別部材とＦＰＣケーブル７ｂとの摺動も無く、光ピックアップ７の摺動ロスを低減できる。このことで、信頼性の優れたピックアップ用フレキシブルケーブルの取り付け機構が構成できる。
【００２２】
図３および図４に示すように、ディスク駆動部ベース５の略四隅にはそれぞれダンパー１７が取り付けられ、ねじ部材２１によりディスク駆動部ベース５の下面のダンパーベース２２に取り付けられている。
【００２３】
図５は、ディスク駆動部４を裏面側から見た状態を示している。図４および図５に示すように、ダンパーベース２２には、ボス２２ａ，２２ｄが固定されている。これらのボス２２ａ、２２ｂは、後述するカムスライダー４７と係合し、ディスク駆動部４を移動させる。ボス２２ａ、２２ｄの周りには溝２２ｉが形成され、これにより、ダンパーベース２２は弾性を持ち、ボス２２ａ，２２ｄに対しダンパーベースに設けられた当接部２２ｆ、２２ｇ、２２ｈの高さを変位させることが可能となっている。
【００２４】
図６はディスクドライブ装置２を前面２ａ側から見た断面図を示している。後述するように、ディスクドライブ装置２は、上述したディスク駆動部４、その他の駆動機構等が実装され表示装置１の外部筐体１ｃに固定される固定部と、この固定部に対して移動自在、つまり、伸縮自在に支持された伸縮部３５と、を備えている。
【００２５】
固定部は、ほぼ各筒状に形成されたベース体２４およびベースガイド２５，２６を含んでいる。ベース体２４は、種々の部品を直接的または間接的に支持する取付基体として機能し、表示装置１の外部筐体１ｃに取り付けられている。ベース体２４はほほ平坦な矩形板状の基準面２４ａ、基準面２４ａの左右側縁に立設され側壁を構成した左右の折り曲げ部２４ｂ，２４ｃ、および基準面２４ａと対向したベーストップ５５を有している。ベース体２４の折曲げ部２４ｂ、２４ｃの外面側には、それぞれベースガイド２５、２６が固定されている。ベースガイド２５、２６の外側には、それぞれスライダーガイド２７，２８が取り付けられている。スライダーガイド２７，２８の外側には、フロントトップガイド３０，３１がそれぞれ取り付けられている。フロントトップガイド３０，３１は、伸縮部の一部を構成しているとともに固定部の上面と側面と一部の裏面を覆うフロントトップ２９に固定されている。固定部であるベースガイド２５、２６を基準として、スライダーガイド２７，２８とフロントトップガイド３０，３１はそれぞれディスクドライブ装置２の前面方向にスライド自在に支持されている。
【００２６】
図７，８，９は図６の右方向から見たときのベースガイド２６と、スライダーガイド２８とフロントトップガイド３１の部品図である。ベースガイド２６には固定部と伸縮部３５との間で伸縮駆動機構をバネ付勢する独立した与圧バネ２６ａ，２６ｂが取り付けられている。スライダーガイド２８には、ツメ部２８ａ，２８ｂが、フロントトップガイド３１には、ツメ部３１ａがそれぞれ形成されている。
【００２７】
ベース体２４の左右折り曲げ部２４ｂ，２４ｃの上部の２４ｈ，２４ｉ，２４ｊ，２４ｋ（２４ｊ，２４ｋは図示せず）には、ベーストップ５５が取り付けられており、後述する、ディスクの保持を行うディスクローディング機構およびクランプ部材駆動機構が配置されている。
【００２８】
ベース体２４の基準面２４ａの上面には、モードモータ４２（図１６参照）によって駆動されるカム部材であるカムスライダー４７が、カムスライダー４７の上面には、ディスク駆動部４が移動可能に取り付けられている。
【００２９】
また、ベース体２４の基準面２４ａの裏面には、後述する左アーム３２と右アーム３３が取り付けられ、さらに下面には、フロントトップ２９にねじ固定されるフロントボトム３４が配置されている。後述する伸縮部３５は、フロントトップ２９、フロントトップガイド３０，３１、フロントボトム３４などからなり、固定部に対する伸縮部を構成し、固定部であるベースガイド２５、２６を基準として、スライダーガイド２７，２８とフロントトップガイド３０，３１がスライド自在に支持されており、これらによって、スライド支持機構を構成する。
【００３０】
図１０（ａ），（ｂ），（ｃ）は伸縮部３５の平面図、右側面図、下面図を示している。伸縮部３５は固定部の上面、側面、および一部の裏面を覆うフロントトップ２９と、固定部の裏面を覆うフロントボトム３４と、固定部の前面を覆い、ディスク２３を挿入、排出するディスク挿入口３を有したフロントパネル３６とで構成され、これらは上面および裏面からネジ３７で固定されている。これにより、伸縮部３５は、後面の開口した偏平な矩形箱状に形成されている。
【００３１】
図６および図１０に示すように、フロントトップ２９の上面には、操作キー部７１が設けられ、ディスクドライブ装置２を所定の動作状態や停止状態に設定することが可能となっている。操作キー部７１は、フロントトップ２９上面に固定された操作キー基盤７１ａと、操作キー基板上に実装された複数のスイッチ部７１ｂと、これらを覆うスイッチカバー７１ｃと、操作キー基盤７１ａ、スイッチ部７１ｂ、およびスイッチカバー７１ｃを取り付ける取り付けベース７１ｄと、を備えている。
【００３２】
フロントトップ２９の上面及び側面の後端縁部は、外側に向かってほぼ直角に折り曲げられフロントトップ曲げ部２９ａを構成している。凸部として機能するフロントトップ曲げ部２９ａは、フロントトップ２９の強度を高め、また、塵、埃がフロントトップ２９の上面を超えてドライブ装置内に進入することを防ぐことができる。これにより、信頼性の優れた防塵機構を施したディスクドライブ装置が得られる。
【００３３】
フロントボトム３４の裏面には、それぞれ図１０（ｃ）の左右方向に延びた溝３４ａ，３４ｂが形成されている。フロントトップ２９の上面には、ディスクドライブ装置２の内部を可視可能とする透明な可視部７２が設置されている。伸縮部３５から、操作キー基板７１ａの信号を伝達するケーブル７１ｅが奥方向、つまり、固定部方向に延出している。
【００３４】
図１１は伸縮部３５が縮小位置に移動し、固定部を覆うとともに表示装置１の外部筐体１ｃ内に収納された状態を示す右側面図である。固定部のベース体２４は表示装置１の外部筐体１ｃに固定されている。図１、図２、および図１１に示すように、外部筐体１ｃの前面には、伸縮部３５の伸長が可能、つまり、伸縮部が挿通可能な窓部１ａが形成されている。窓部１ａは、伸縮部３５の横断面形状よりわずかに大きな寸法の矩形状に形成されている。図１１に示すように、外部筐体１ｃの内面側には、窓部１ａの全周に亘り防塵部材３８が取り付けられている。防塵部材３８は、伸縮部３５が移動する間、伸縮部３５の上面、側面および裏面に当接するように、窓部１ａの内側に突出して配置されている。防塵部材３８としてはフエルト等を用いることができる。これにより、表示装置１内への塵、埃の侵入を防ぐことができ、信頼性の優れた防塵機構を施したディスクドライブ装置を提供することができる。
【００３５】
ベース体２４の下面にはメイン基盤３９が配置され、メイン基盤３９の下面には基盤カバー４０が配置されて、ベース体２４に固定されている。操作キーの信号を伝達するケーブル７１ｅ、および後述する信号ケーブルは、ベース体２４の基準面２４ａの上面後方向からメイン基盤３９に接続される。
【００３６】
図１２は伸縮部３５が伸長して伸長位置に移動し、表示装置１の外部筐体前面から突出した状態を示す右側面図である。ベースガイド２６と係合したスライダーガイド２８は伸長方向Ａに沿った長さの約半分ほどスライドし、伸縮部３５は伸長方向長さのほぼ全長がスライドしている。この際、防塵部材３８は、伸縮部３５の上面、側面および裏面に当接するのに加えて、フロントトップ曲げ部２９ａが窓部１ａの防塵部材３８に当てついている。これにより、ディスクドライブ装置使用時における防塵効果を高めている。また、防塵部材３８は、伸縮部３５の伸縮動作中も伸縮部３５の上面及び側面に当接し、表示装置１内への塵、埃の進入を防ぐことができる。これにより、信頼性の高い防塵機構を有したディスクドライブ装置が得られる。
【００３７】
また、図２および図１２に示すように、縮小状態では外部に露出していなかったフロントトップ２９の操作キー部７１は、伸縮部３５が伸長した状態では外部に露出し、ディスクドライブ装置２の操作が可能となる。ディスクドライブ装置２の操作は、ディスク２３を挿入していない未使用時には行えず、ディスク２３を挿入した使用時のみ可能となる。そのため、未使用時における操作ミスを防止するとともに、操作性が向上する。また、表示装置１の外部筐体１ｃにディスクドライブ装置用の操作キーを配置する必要がないため、表示装置１のデザインの自由度が向上する。このことで、簡易な構成で小型化を促進し平面型の表示装置等に搭載することができ、しかも、十分に実用に供し得る操作性の優れたディスクドライブ装置が得られる。
【００３８】
同様に、縮小状態では外部に露出していなかった可視部７２は、伸縮部３５が伸長した状態では外部に露出し、ディスクドライブ装置２内部の可視化が可能となり、挿入したディスクを外部から目視することができる。これにより、ディスクドライブ装置２にディスク２３が挿入されていることが一目瞭然となり、ディスクドライブ装置２の動作状態の確認や、間違って、さらにディスクを挿入するといった誤操作を未然に防ぐことができる。従って、操作性が向上し、同時に、ディスクドライブ装置２のデザインの自由度が向上する。その結果、簡易な構成で小型化を促進し平面型の表示装置等に搭載することができ、しかも、十分に実用に供し得る操作性の優れたディスクドライブ装置が得られる。
【００３９】
図１１で挿入されたディスク２３は、図１２では、ディスク駆動部４への搭載のためにディスク回転軸下方向に所定量移動しているが、伸縮部３５の伸長方向Ａへの移動は略していない。
【００４０】
図１３は、伸縮部３５が縮小位置に移動した状態におけるベースガイド２６と伸縮部３５のフロントボトム３４とフロントパネル３６との関係を示している。伸縮部３５は、後述する左アーム３２と右アーム３３によってベース体２４、つまり、ベースガイド２６との位置が決められている。このとき、ベースガイド２６の与圧バネ２６ａはフロントボトム３４の凸部３４ｃにより圧縮され、伸縮部３５をバネ付勢している。与圧バネ２６ａと凸部３４ｃはベースガイド２５側にも同一構造を持ち、伸縮部３５の左右でバネ付勢している。これにより、伸縮部３５が縮小位置に移動した際におけるがたつきを防止している。このように、伸縮部３５が縮小完了状態と伸長完了状態の間では固定部と伸縮部３５と伸縮駆動機構をバネ付勢しないバネ部材である与圧バネ２６ａを有し、伸縮部３５が縮小完了状態のときに、固定部と伸縮部３５と伸縮駆動機構をバネ付勢する。このことで、ディスクドライブ装置２は、未使用時、ディスク２３の直径以下の奥行き寸法とし、使用時にはディスク２３の挿入により伸縮部３５をディスクドライブ装置２の前面を飛び出させてディスク収容空間を形成することができるとともに、伸縮部３５の可動負荷を低減しつつ防振手段による縮小状態での防振性を向上することができる。
【００４１】
図１４は、図１２に示したように伸縮部３５が伸長位置に移動した状態におけるベースガイド２６とスライダーガイド２８とフロントトップガイド３１との関係を示している。伸縮部３５は、後述する左アーム３２と右アーム３３とによってベース体２４、つまり、ベースガイド２６との位置が決められロックされている。この状態では、フロントトップガイド３１のツメ部３１ａはスライダーガイド２８のツメ部２８ａと係合し、これ以上のスライドを防いでいる。このとき、ベースガイド２６の与圧バネ２６ｂはスライダーガイド２８のツメ部２８ｂにより圧縮され、伸縮部３５を縮小方向にバネ付勢している。ベースガイド２５、スライダーガイド２７、およびフロントトップガイド３０も同一構造を持ち、伸縮部３５の左右でバネ付勢している。これにより、伸縮部３５が伸長したときの、がたつき、振動を防止している。
【００４２】
このように、伸縮部３５が縮小完了状態と伸長完了状態との間では、固定部と伸縮部３５との伸縮駆動機構をバネ付勢しない与圧バネ２６ｂを有し、伸縮部３５が伸長完了状態のときに、固定部、伸縮部３５および伸縮駆動機構をバネ付勢する。そのため、未使用時にはディスク２３の直径以下の奥行き寸法であり、使用時にはディスク挿入によりディスクドライブ装置２の前面２ａを飛び出させてディスク収容空間を形成するディスクドライブ装置において、伸縮部の可動負荷を低減し、かつ伸長状態での防振性を向上することができる。
【００４３】
次に、ディスクドライブ装置２の駆動系について説明する。図１５、図１６（ａ）、図１６（ｂ）は、ベース体２４に設けられた駆動部の要部を示している。図１６（ａ）は、伸縮部３５が縮小し、ディスク挿入が可能なスタンバイ状態を示し、図１６（ｂ）は図１６（ａ）にディスク駆動部４を搭載した状態を示している。
【００４４】
ベース体２４は、ねじ４１により、表示装置１の外部筐体１ｃに固定されている。ベース体２４には、モードモータ４２が取り付けられ、モードモータ４２の先端のシャフト部にはウォーム４３が嵌着されている。ウォーム４３とギア４４、ギア４５、ギア４６はそれぞれ歯合している。ベース体２４上にはカムスライダー４７が設けられている。カムスライダー４７は、ギア４６と歯合するラック部４７aと後述するレバー等を駆動するカム部４７ｂ、４７ｃ，４７ｄ，４７ｅ，４７ｆ，４７ｇを有し、ベース体２４により移動が規制され、図１５、図１６中の左右方向に移動可能になっている。モードモータ４２によりギア４６が回転駆動されると、カムスライダー４７は、図中の左右方向に駆動され、レバー等を駆動する。
【００４５】
また、ベース体２４上にはスイッチ基盤４８が設けられている。スイッチ基盤４８には、モードスイッチ４９、およびディスクが所定の挿入位置に挿入されたときにこれを検知し切り替えを行うディスク検出スイッチ５０が実装されているとともに、モードモータ４２のケーブル５１が接続されている。スイッチ基盤４８は、ＦＦＣケーブル５２によりベース体２４の下面のメイン基盤３９と接続されている。
【００４６】
モードスイッチ４９は、ベース体２４上に設けられたスイッチレバー５３の回動中心５３a回りの回動によりオン、オフの切り替えを行い、ディスク検出器として機能するディスク検出スイッチ５０は、第１ディスクドライブレバー５４の回動中心５４a回りでの回動によりオン、オフの切り替えを行う。スイッチレバー５３および第１ディスクドライブレバー５４は、それぞれレバー上に設けられたピン５３ｂ、５４ｂがカムスライダー４７のカム部４７ｃ、４７ｂとそれぞれ係合している。カムスライダー４７の移動によりスイッチレバー５３および第１ディスクドライブレバー５４はそれぞれ回動し、モードスイッチ４９およびディスク検出スイッチ５０をオン、オフ切り替えする。また、第１ディスクドライブレバー５４は、回動中心５４ａを挟んでピン５４ｂの反対側に設けられたボス５４ｃを有している。後述するように、ボス５４ｃは、ベース体２４の上部に取り付けられたベーストップ５５に配置されたディスクローディング機構のレバー類と係合する。ディスク２３の挿入により、第１ディスクドライブレバー５４は回動され、ディスク検出スイッチ５０をオフからオンに切り替える。
【００４７】
第１ディスクドライブレバー５４はピン５４ｂがカムスライダー４７のカム部４７ｂと係合しているが、カム部４７ｂは幅広に形成されているため、第１ディスクドライブレバー５４は回動可能であり、図１６のディスク検出スイッチ５０をオンした状態と図１５のオフ状態を取りえることができる。これは、後述する、ディスク挿入によりディスク検出スイッチ５０のオフからオンへの切り替えを行うための形状である。カムスライダー４７の移動により第１ディスクドライブレバー５４は回動し、ディスク排出時はディスク検出スイッチ５０をオンからオフへ切り替えを行う。
【００４８】
図４に示すように、ダンパーベース２２のボス２２ａは、大径のボス２２ｂと小径のボス２２ｃとの２層に形成されている。図１６に示すように、ボス２２ｂはカムスライダー４７のカム部４７ｄに係合し、ボス２２ｃはベース体２４のガイド部２４ｇに係合している。また、ダンパーベース２２のボス２２ｄはカムスライダー４７のカム部４７ｅに係合している。これにより、伸縮部３５の縮小状態、つまり、スタンバイ状態ではディスク駆動部４はベース体２４の中に納まっている。このとき、図１６（ｂ）に示すように、ディスクドライブ装置２の左右方向の略中央部にディスク２３の中心があるが、ディスク駆動部４のディスク駆動モータ６は、ディスクドライブ装置２の左右方向の略中央部から所定量ずれた位置にある。
【００４９】
ガイド部２４ｇは図中の上下方向である伸縮部３５の伸縮方向Ａと同一方向に延びた溝で形成され、カムスライダー４７の右方向への移動により、ボス２２ａはカム部４７ｄのカム形状に沿って伸縮方向Ａと同一方向に移動を開始する。また、ボス２２ｄはカム部４７ｅのカム形状に沿って移動する。このように、モードモータ４２とモードモータ４２の回転を伝達するウォーム４３、ギア４４〜４６およびカムスライダー４７によりディスク駆動部駆動機構を構成し、このディスク駆動部駆動機構によって、ディスク駆動部４はベース体２４の前方へ移動する。
【００５０】
ベース体２４の基準面２４ａの下面には、伸縮部３５の伸縮を制御するためのアーム部として、左アーム３２および右アーム３３が設けられている。左アーム３２および右アーム３３は、それぞれ基端部にベース体２４に支持された回動中心３２ａ、３３ａを有し、また、それぞれの先端部には、伸縮部３５との係合部であるボス３２ｂ、３３ｂが突設されている。ボス３２ｂ、３３ｂは基準面２４ａから離れる方向に突出し、伸縮部３５のフロントボトム３４に形成された溝３４ａ、３４ｂ（図１０（ｃ）参照）に係合している。また、左アーム３２および右アーム３３は、それぞれ基準面２４ａ側に突出したボス３２ｃ、３３ｃを有し、基準面２４ａの上面に配置されたカムスライダー４７のカム部４７ｆ、４７ｇにそれぞれ係合している。
【００５１】
図１６に示す縮小状態において、左アーム３２および右アーム３３の回動中心３２ａ、３３ａに対し、ボス３２ｂ、３３ｂは、ベース体２４の後端側に位置し、伸縮部３５を縮小位置に移動させている。同時に、左アーム３２の回動中心３２ａとボス３２ｂとを結んだ線Ｂ１、および、右アーム３３の回動中心３３ａとボス３３ｂとを結んだ線Ｂ２は、伸縮部３５の伸縮方向Ａと略平行となっている。そのため、左アーム３２および右アーム３３により、伸縮部３５の伸長方向Ａに働く外力に対し伸縮部３５を縮小位置に保持することができる。このことで、縮小した状態での伸縮駆動機構のロック部を構成することができる。
【００５２】
図１６に示す縮小状態からカムスライダー４７が右方向へ移動すると、ボス３２ｃ、３３ｃはカム部４７ｆと４７ｇのカム形状に沿って駆動される。これにより、左アーム３２は反時計まわり方向に、右アーム３３は時計まわり方向に回動され、伸縮部３５は左アームおよび右アームに駆動されて伸長した状態へ移行する。つまり、左アーム３２、右アーム３３及び、これらを駆動するカムスライダー４７により、伸縮駆動機構の伸縮駆動部を構成し、モードモータ４２とモードモータ４２の回転を伝達するウォーム４３、ギア４４〜４６および伸縮駆動部で伸縮駆動機構を構成している。
【００５３】
スタンバイ状態では、光ピックアップ７のＦＰＣケーブル７ｂは、ディスク駆動部ベース５の側面に貼り付けられ、中心軸がディスク駆動モータ６の回転軸と略平行なループを形成し図中左上方向に延長された後、ベース体２４の下面に配置されたメイン基盤３９に接続されている。また、モータＦＰＣケーブル７０は、ディスク駆動部ベース５の側面に貼り付けられ、中心軸がディスク駆動モータ６の回転軸と略平行なループを作って図中左方向に延長された後、ベース体２４の下面に配置されたメイン基盤３９に接続されている。
【００５４】
図１７は、カムスライダー４７の移動に伴う状態の移行を示すタイミングチャートである。図１６に示したように、ディスク２３を挿入可能なスタンバイ状態から、カムスライダー４７が右方向に移動すると、ディスククランプ状態へ移行する。第１ディスクドライブレバー５４を制御するカムスライダー４７のカム部４７ｂは伸縮部３５が伸長する間は幅広形状のカム溝を形成する。伸縮部３５の伸長動作時、ディスク２３が伸縮部３５の伸長方向Ａにずれると、後述する奥ディスクレバー５９が回動し、この回動は、第２ディスクドライブレバー６０、第１ディスクドライブレバー５４へと伝わり、ディスク検出スイッチ５０はオンからオフの状態になる。これにより、ディスク駆動部４へのディスク２３のクランプミスを防ぐために、伸縮部３５の伸長を停止し、ディスク排出モードへ移行することができる。このことで、信頼性の優れたディスクドライブ装置を提供することができる。
【００５５】
クランプ状態への移行により、第１ディスクドライブレバー５４は、ディスクホールド状態からディスクオフ状態へ移行する。また、スタンバイ状態からクランプ状態への移行で、伸縮部３５は伸長した状態へ移行し、ディスク駆動部４は伸縮部３５の伸長方向Ａに移動して、ディスク駆動モータ６の回転中心とディスク２３の回転中心を合わせる。
【００５６】
クランプ状態から、ディスク２３を排出するときは、イジェクト状態へ移行する。これは、カムスライダー４７の左方向への移動により行われる。第１ディスクドライブレバー５４、伸縮部３５、およびディスク駆動部４は、スタンバイ状態からクランプ状態への移行と逆の動作を行う。このとき、カムスライダー４７は、スタンバイ状態からイジェクト状態へ移行するときにディスク２３を伸縮部３５の伸長方向Ａへ、所定量吐き出す。このことで、ディスク２３の取り出しが容易になる。また、次のディスク挿入のために、イジェクト状態からスタンバイ状態へ移行する。
【００５７】
モードスイッチ４９はスタンバイ状態ではオフ状態にあり、クランプ状態の手前でオン状態になる。このことで、モードモータ４２にブレーキをかけ、クランプ状態で停止する。ディスク２３を排出する際、モードモータ４２は、スタンバイ状態からイジェクト状態へ移行したときにオフからオンの状態になる。このことで、モードモータ４２には、一定時間後に、ブレーキをかけ、イジェクト状態で一旦停止し、すぐに、スタンバイ状態に向かう。この際、オンからオフの状態になるので、モードモータ４２にブレーキをかけ、スタンバイ状態で停止する。
【００５８】
図１８（ａ）は、ベース体２４上の駆動部を示す平面図であり、伸縮部３５が伸長し、ディスク２３の記録再生が可能なクランプ状態を示し、図１８（ｂ）は図１８（ａ）にディスク駆動部４を搭載した状態を示している。
【００５９】
スイッチレバー５３はカムスライダー４７のカム部４７ｃと係合し、モードスイッチ４９は、オン状態に保たれている。第１ディスクドライブレバー５４は、後述するディスクホールド状態からディスクオフ状態へ移行している。
【００６０】
ディスク駆動部４は伸縮部３５の伸長方向Ａへの移動と回動を行い、ディスクドライブ装置２の左右方向の略中央部から所定量ずれた位置にあったディスク駆動モータ６の回転中心をディスク２３の回転中心に合わせている。つまり、ディスク表面と平行な方向において、手動にて挿入されるときにディスク検出スイッチ５０を切り替えるディスク２３の挿入位置と、ディスク２３をディスク駆動部４に搭載する記録再生位置とは略同一となる。このことで、ディスク２３をディスクドライブ装置２内に引き込むディスク挿入機構が不要となり、簡易な構成のディスクドライブ装置を提供することができる。
【００６１】
このとき、ベース体２４の基準面２４ａには、固定部の凸カム部２４ｍが形成され、ベース体２４の手前側曲げ部には、固定部の凸カム部２４ｏが所定量高く形成されている。ダンパーベース２２のボス２２ａに対し時計まわり方向には、それぞれテーパ部２４ｌ，２４ｎが、凸カム部２４ｍ，２４ｏとなだらかに基準面２４ａ方向に下がる形状になっている。図１６（ｂ）に示す動作位置において、ディスク駆動部４は凸カム部２４ｍ，２４ｏとは接触しないが、図１８（ｂ）への移行により、ディスク駆動部４はダンパーベース２２のボス２２ａを中心に反時計まわり方向に移動され、図５に示したダンパーベース２２の当接部２２ｆ，２２ｇが、それぞれテーパ部２４ｌ，２４ｎで持ち上げられ、それぞれ凸カム部２４ｍ，２４ｏに乗り上げた状態になる。また、カムスライダー４７には、カム部材に設けた凸カム部４７ｉが図６に示すように所定量高く形成され、図中右方向には、テーパ部４７ｈが、凸カム部４７ｉとなだらかにベース体２４の基準面２４ａ方向に下がる形状になっている。図１６（ｂ）の動作状態では、ディスク駆動部４は凸カム部４７ｉと接触しないが、図１８（ｂ）に示す動作位置への移行により、ダンパーベース２２の当接部２２ｈが、テーパ部４７ｈで持ち上げられ、凸カム部４７ｉに乗り上げた状態になる。このことにより、ディスク駆動部４はクランプ状態のときのみ、ディスク２３方向に移動され、ディスクの挿入高さと、ディスク駆動モータ６のターンテーブル６aに搭載された際の高さとの差を小さくする。従って、ディスク２３のクランプおよびアンクランプの動作の信頼性が向上する。
【００６２】
図１８（ａ）、１８（ｂ）に示すように、ベース体２４の基準面２４ａの下面に配置された左アーム３２および右アーム３３は、それぞれ初期位置から略１８０度回動している。この際、左アーム３２および右アーム３３の回動中心３２ａ、３３ａに対しボス３２ｂ、３３ｂが、手前方向、つまり、表示装置１の前面側に位置している。これにより、伸縮部３５を伸長した状態となっている。この状態で、左アーム３２の回動中心３２ａとボス３２ｂとを結んだ線Ｂ１、および右アーム３３の回動中心３３ａとボス３３ｂとを結んだ線Ｂ２は、伸縮部３５の伸縮方向Ａと略平行となっている。これにより、左アーム３２および右アーム３３は、伸縮部３５の縮小方向に働く外力に対して、伸縮部３５を伸長位置に保持する。このことで、伸長した状態での伸縮駆動機構のロック機構を構成することができる。
【００６３】
クランプ状態において、光ピックアップ７のＦＰＣケーブル７ｂは、ディスク駆動部ベース５の側面に貼り付けられ、ディスク駆動部ベース５の側面に巻き取られた後、ループを作って図１８（ｂ）中左方向に延長された後、ベース体２４の下面に配置されたメイン基盤３９に接続されている。モータＦＰＣケーブル７０は、ディスク駆動部ベース５の側面に貼り付けられ、ループが開いた状態になり、図１８（ｂ）中上方向に延長された後、ベース体２４の下面に配置されたメイン基盤３９に接続されている。このように、ディスク駆動部４がスタンバイ状態とクランプ状態と間で移動する全域において、ＦＰＣケーブル７ｂおよびモータＦＰＣケーブル７０は、中心軸がディスク駆動モータ６の回転軸と略平行なループを形成するように配置され、また、ディスク駆動部４が移動する平面とほぼ平行な平面内を移動する。そのため、ディスク駆動部４の移動に伴うケーブルの損傷を防ぐことができ、同時に、ディスク駆動部４の移動をケーブル７ｂ、７０によって妨げることを防止できる。
【００６４】
図３２（a）、３２（ｂ）は、光ピックアップ７のＦＰＣケーブル７ｂの他の実施形態を示している。このＦＰＣケーブル７ｂは、その一部を折り曲げ部７ｈに沿って折り曲げ、２重の貼り付け部７ｉを形成している。この形態では、貼り付け部７ｉはその一部がディスク駆動部ベース５の側面に貼り付けられ、中心軸がディスク駆動モータ６の回転軸と略平行なループを形成し、ループ部分は２枚重なった状態となっている。このように、ＦＰＣケーブルを複数枚重ねることで、ディスク駆動モータ６の回転軸と略平行な方向に沿ったＦＰＣケーブルの幅を小さくすることが可能となる。また、複数枚のＦＰＣケーブルにシールド部材を配置することで、信号の劣化を防ぐことができる。これにより、信頼性の優れたフレキシブルケーブル構造を備えたディスクドライブ装置を提供することができる。
【００６５】
図１９（ａ）および図１９（ｂ）は、ベース体２４上の駆動部を示す平面図であり、図１９（ａ）は伸縮部３５が縮小位置に移動したイジェクト状態を示し、図１９（ｂ）は図１９（ａ）にディスク駆動部４を搭載した状態を示している。
【００６６】
スイッチレバー５３はカムスライダー４７のカム部４７ｃと係合し、モードスイッチ４９は、オン状態に保たれている。第１ディスクドライブレバー５４は、後述するディスクホールド状態からディスクイジェクト状態へ移行している。この際、ディスク検出スイッチ５０はオフ状態になり、スタンバイ状態に移行後、次のディスク挿入が可能となる。ディスク駆動部４は伸縮部３５の縮小方向に移動し、ベース体２４の中に納まっている。
【００６７】
ベース体２４の基準面２４ａの下面に配置された左アーム３２および右アーム３３は、それぞれクランプ状態からスタンバイ状態まで逆方向に略１８０度回動している。左アーム３２および右アーム３３の回動中心３２ａ、３３ａに対し、ボス３２ｂ、３３ｂは固定部の後端側に位置され、伸縮部３５を縮小状態としている。同時に、左アーム３２の回動中心３２ａとボス３２ｂとを結んだ線Ｂ１、および、右アーム３３の回動中心３３ａとボス３３ｂとを結んだ線Ｂ２は、伸縮部３５の伸縮方向Ａと略平行であり、伸縮部３５を縮小状態にロックしている。
【００６８】
上述した図１６から図１９までの伸縮部３５の動作により、未使用時、伸縮部３５を固定部を覆った縮小位置に保持し、ディスクドライブ装置２の奥行き寸法を小さくすることができる。また、ディスクドライブ装置２の動作時には、伸縮部３５が伸長してディスク２３の収容部を確保するとともに、ディスク駆動部４が駆動位置に移動することにより、ディスク２３に対する情報の読み出しおよび書き込みが可能となる。これにより、簡易な構成で小型化を促進し、十分に実用に供し得る操作性の優れたディスクドライブ装置が得られる。
【００６９】
次に、ディスク駆動部４に対してディスク２３を装着するディスクローディング機構について説明する。図２０は、ベース体２４のベーストップ５５上に設けられたディスクローディング機構およびクランプ部材駆動機構を示している。ベーストップ５５は、ベース体２４の基準面２４ａと略同寸法の略平板状に形成されている。ベーストップ５５は、ねじ５６により、ベース体２４の左右折り曲げ部２４ｂ，２４ｃの上部２４ｈ，２４ｉ，２４ｊ，２４ｋにねじ固定され、基準面２４ａとほぼ平行に対向している。
【００７０】
ディスクローディング機構は、伸縮部３５のディスク挿入口３から挿入されたディスク２３を保持する左ディスクレバー５７および右ディスクレバー５８を備えている。左ディスクレバー５７は、ベーストップ５５上に回動中心５７ａを有し、ディスクドライブ装置２の前面２ａ方向にディスク保持部５７ｂを形成している。左ディスクレバー５７上には、ピン５７ｃ、５７ｄが固定されている。
【００７１】
右ディスクレバー５８は、ベーストップ５５上に回動中心５８ａを有し、ディスクドライブ装置２の前面２ａ方向にディスク保持部５８ｂを形成している。右ディスクレバー５８にはカム溝５８ｃが形成され、このカム溝５８ｃに左ディスクレバー５７のピン５７ｄが常時係合している。これにより、左ディスクレバー５７のディスク保持部５７ｂと右ディスクレバー５８のディスク保持部５８ｂとは、ベーストップ５５の中央部に対し、略左右対象に動作する。挿入されたディスク２３を保持するディスク保持部材である奥ディスクレバー５９は、右ディスクレバー５８上に位置した回動中心５９ａの回りで回動自在に支持され、図中左側端部にディスク保持部５９ｂ、右側端部にピン５９ｃが形成されている。
【００７２】
左ディスクレバー５７と第２ディスクドライブレバー６０とは、引っ張りバネ６２により、また、右ディスクレバー５８と奥ディスクレバー５９とは、引っ張りバネ６３により、それぞれのディスク保持部５７ｂ，５８ｂ，５９ｂを、挿入されるディスク２３の略中心方向に回動するように付勢している。左ディスクレバー５７、右ディスクレバー５８、奥ディスクレバー５９、および第２ディスクドライブレバー６０はディスク駆動部材を構成し、これらのディスク駆動部材および、引っ張りバネ６２，６３は、ディスクローディング機構を構成している。
【００７３】
図２０は、ディスク挿入が可能なスタンバイ状態を示し、ディスク２３が挿入されることで、ディスク保持部５７ｂ，５８ｂ，５９ｂはディスク２３の外周縁に押されて移動する。
【００７４】
図２０および図２６に示すように、ベーストップ５５の中央部にはクランプレバー１９が取り付けられて、回動中心１９ａの回りで平面的な回動が可能となっている。クランプレバー１９の一端部にはクランプ部材１８が回転自在に支持されている。クランプレバー１９は、その下面に設けられた凸部１９ｂ，１９ｃでベーストップ５５と係合し、凸部１９ｂ、１９ｃを結んだ線Ｃ１（図２６参照）を中心にクランプ部材１８が上下動可能である。クランプレバー１９にはピン１９ｄが固定されている。
【００７５】
クランプレバー１９の回動中心１９ａには、弾性を有するバネ部材２０の一端が回動中心１９ａの回りで回動可能に取り付けられている。バネ部材２０の他端は、クランプレバー１９に形成された穴部１９ｅと係合している。これにより、バネ部材２０は、クランプ部材１８を下方向に向かうように、弾性的に付勢している。
【００７６】
第２ディスクドライブレバー６０は、ベーストップ５５上に回動中心６０ａを持ち、図１５に示した第１ディスクドライブレバー５４のボス５４ｃと係合した溝部６０ｂと、左ディスクレバー５７のピン５７ｃを駆動するカム溝６０ｃと、奥ディスクレバー５９のピン５９ｃと係合する溝部６０ｄと、クランプレバー１９のピン１９ｄを駆動するカム溝６０ｅを有している。第２ディスクドライブレバー６０には、第３ディスクドライブレバー６１が取り付けられている。第３ディスクドライブレバー６１は第２ディスクドライブレバー６０に係合した曲げ部６１ａと、先端部に設けられたカム部６１ｂとを有し、曲げ部６１ａを中心としてカム部６１ｂの上下動が可能になっている。
【００７７】
図２２（ａ）および図２２（ｂ）は、奥ディスクレバー５９の先端部に設けられたディスク保持部５９ｂの平面図および側面図である。ディスク保持部５９ｂは、ディスク２３の外周縁部と当接する第一当接部である正規当接部５９ｄと、ディスク駆動モータ６に挟装されたクランプ状態からディスクを排出する際、所定量下がって位置したディスクを正規当接部５９ｄまで持ち上げるテーパ部５９ｅと、ディスク検出部材である奥検出レバー６４と、バネ部材であるバネ６５と、を備えている。奥検出レバー６４は、奥ディスクレバー５９の先端部に位置した回動中心６４ａと、ディスク２３の外周縁に当接する第二当接部であるディスク外輪当接部６４ｂと、係止部６４ｃとを有している。奥検出レバー６４は、バネ６５により、ディスク外輪当接部６４ｂがディスク中心に向かって反時計方向に回動するよう付勢されている。
【００７８】
図２１および図２２（ｂ）は、スタンバイ状態およびイジェクト状態における、奥ディスクレバー５９のディスク保持部５９ｂとディスク２３との関係を示し、図２５および図２２（ｃ）は、クランプ状態のときの関係を示している。つまり、図２１および図２２（ｂ）では、ディスク２３は、テーパ部５９ｅの図中右である上方向の正規当接部５９ｄに当接し、図２２および図２２（ｃ）では、ディスク２３は図中左方向に所定量下がったディスク駆動モータ６の位置にあり、ディスク保持部５９ｂはディスク２３の回転を妨げないディスク外周方向に駆動されている。クランプ状態からイジェクト状態へ移行するときには、ディスク保持部５９ｂはディスク内周方向に駆動されて、テーパ部５９ｅによりディスク２３を持ち上げ、正規当接部５９ｄに当接させる。
【００７９】
左ディスクレバー５７と右ディスクレバー５８の保持部５７ｂ、５８ｂは奥ディスクレバー５９の先端部のディスク保持部５９ｂとほぼ同一の構成および同一の機能を有している。
【００８０】
図２１は、ディスク２３を挿入したスタンバイ状態を示している。ディスク２３を挿入することで、左ディスクレバー５７および右ディスクレバー５８の保持部５７ｂ、５８ｂはディスク外輪に押されて、ディスク外周方向に移動している。奥ディスクレバー５９は、右ディスクレバー５８と共に回動され、奥ディスクレバー５９のディスク保持部５９ｂがディスク２３外輪部に当接した状態に位置されている。奥ディスクレバー５９の移動により、ピン５９ｃが駆動され、第２ディスクドライブレバー６０の溝部６０ｄを押し込む。すると、図２０において、第２ディスクドライブレバー６０が時計方向に回動され、第１ディスクドライブレバー５４のボス５４ｃを駆動する。これにより、第１ディスクドライブレバー５４は、図１６のように、ディスク検出スイッチ５０をオンさせる所定の角度位置に回動される。ディスク検出スイッチ５０の切り替えにより、ディスク２３が正しい位置に挿入されたことが検出され、モードモータ４２を回転させてクランプ状態への移行を行う。これにより、ディスク２３を挿入することだけで、記録、再生が可能な状態を設定でき、操作性に優れたディスクドライブ装置が得られる。
【００８１】
ディスク挿入時において、ディスク挿入先端部２３ａを無理やり下げたまま、傾けて挿入した場合、図２２（ｄ）に示すように、ディスク挿入先端部２３ａはディスク保持部５９ｂの正規当接部５９ｄに当接する位置まで挿入されることなく、奥ディスクレバー５９のテーパ部５９ｅに当接する。そのままディスク２３を押し込むと、奥ディスクレバー５９の移動により、ディスクが正しい位置に挿入される手前で第１ディスクドライブレバー５４は、ディスク検出スイッチ５０をオンさせる所定の角度になり、ディスク検出スイッチ５０をオンさせる心配がある。このディスク検出スイッチ５０の切り替えにより、モードモータ４２を回転させてクランプ状態への移行を行うとディスク２３とターンテーブル６aとクランプ部材１８のクランプが適正に行われないことがある。
【００８２】
図２３（ａ）、図２３（ｂ）は、図２２（ｂ）の正しいディスク位置での挿入途中の奥検出レバー６４とベーストップ５５の係止部５５ａとの関係、図２４（ａ）、図２４（ｂ）は、図２２（ｄ）のディスク挿入先端部２３ａを傾けて挿入した時の挿入途中の奥検出レバー６４とベーストップ５５の係止部５５ａとの関係を示す。図２３（ａ）、図２３（ｂ）において、ディスク２３は、正規当接部５９ｄに当接し、同時に、奥検出レバー６４のディスク外輪当接部６４ｂを押圧して奥検出レバー６４を図中、時計回り方向に回動させる。これにより、奥検出レバー６４の係止部６４ｃは、係止部材であるベーストップ５５の係止部５５ａと係止されない解除位置まで回動される。これにより、ディスク２３の更なる挿入により、奥ディスクレバー５９が回動し、図２１に示すように正しいディスク挿入が可能となる。
【００８３】
一方、図２４（ａ）、図２４（ｂ）に示す状態では、ディスク２３は、ディスク保持部５９ｂのテーパ部５９ｅに当接している。このとき、ディスク２３により、ディスク外輪当接部６４ｂが十分押されないため、奥検出レバー６４は、解除位置まで回動されず、係止部６４ｃとベーストップ５５の係止部５５ａとが係止する図示の係止位置に維持される。これにより、奥ディスクレバー５９のディスク保持部５９ｂは移動を停止され、ディスク挿入先端部２３ａを無理やり下げたまま、傾けて挿入した時の更なる挿入を防止する。その結果、ディスク２３が正しい位置に挿入される手前でディスク検出スイッチ５０をオンさせ、ディスク２３、ターンテーブル６a、およびクランプ部材１８のクランプが適正に行われないことを防ぐことができる。このことで、信頼性の優れたディスクドライブ装置を提供することができる。
【００８４】
図２４（ａ）、図２４（ｂ）の状態から、ディスク２３を押すと、ディスク挿入先端部２３ａが奥ディスクレバー５９のテーパ部５９ｅを図中右上方向に上り、ディスク２３は、正規当接部５９ｄにあたる。これにより、正しいディスク挿入が可能となる。
【００８５】
図２５は、ディスクローディング機構およびクランプ部材駆動機構によりディスク２３をクランプしたクランプ状態を示している。このとき、第１ディスクドライブレバー５４は時計方向に回動され、第２ディスクドライブレバー６０は時計方向に回動される。これにより、左ディスクレバー５７のピン５７ｃは第２ディスクドライブレバー６０のカム溝６０ｃによって駆動され、左ディスクレバー５７はディスク保持部５７ｂがディスク２３から離れる方向に回動する。右ディスクレバー５８は左ディスクレバー５７と同期してディスク保持部５８ｂがディスク２３から離れる方向に回動する。
【００８６】
奥ディスクレバー５９は、右ディスクレバー５８と共に回動され、ピン５９ｃが第２ディスクドライブレバー６０の溝部６０ｄに押し込まれることで、ディスク保持部５９ｂはディスク２３から離れる方向に回動する。これにより、各ディスク保持部５７ｂ，５８ｂ，５９ｂは、ディスク駆動モータ６に搭載されたディスク２３の回転を妨げないようにすることができる。
【００８７】
伸縮部３５のフロントトップ２９の上面を構成する板材の裏側に設けられたカム部２９ｂは、フロントトップ２９の伸長方向Ａの移動により、クランプレバー１９の凸部１９ｆを押し込み、回動中心１９ａを中心としてクランプレバー１９を平面的に回動させる。これにより、クランプレバー１９のピン１９ｄは第２ディスクドライブレバー６０のカム溝６０ｅと係合する。
【００８８】
クランク部材駆動機構について更に説明する。図２６は、クランプレバー１９を示す平面図、図２７（ａ）、（ｂ）、（ｃ）は、クランプ部材駆動機構の動作説明のための模式図で、図２７（ａ）は、図２１に対応に対応するスタンバイ状態で、図２７（ｃ）は、図２５に対応するクランプ状態、図２７（ｂ）は、図２７（ａ）と図２７（ｃ）との途中状態をそれぞれ示している。
【００８９】
第３ディスクドライブレバー６１は、クランプレバー駆動部であり、第３ディスクドライブレバー６１とクランプレバー１９とで、クランプ部材駆動機構を構成している。図２７（ａ）、図２１において、クランプレバー１９は、後述する、フロントレバー６６に押し込まれ、ベーストップ５５の外形内に位置している。このとき、クランプレバー１９は、凸部１９ｂ，１９ｃでベーストップ５５の上面に当接し、凸部１９ｇはベーストップ５５のカム部５５ｂの裏面に当接している。クランプレバー１９の当接部１９ｈがクランプ部材１８を上方向に持ち上げている。これにより、クランプ部材１８は、伸縮部３５のフロントトップ２９に押し当てられている。
【００９０】
図２７（ｃ）において、伸縮部３５の伸長により、フロントトップ２９のカム部２９ｂがクランプレバー１９の凸部１９ｆを押し込み、クランプレバー１９は、回動中心１９ａを中心とした平面的な回動をする。この回動により、クランプレバー１９の吸い込み部１９ｉが第２ディスクドライブレバー６０のカム溝６０ｅの下面に潜り込み、ピン１９ｄは第２ディスクドライブレバー６０のカム溝６０ｅと係合可能な状態となる。この際、凸部１９ｇを規制していたカム部５５ｂは凸部１９ｇの上に形成されない形状であり、次の図２７（ｃ）への移行により、凸部１９ｇの上昇を許容する。
【００９１】
図２７（ｃ）および図２５において、第２ディスクドライブレバー６０は、クランプ状態に移行する。このとき、第２ディスクドライブレバー６０の回動により、カム溝６０ｅは図２７（ｃ）において左方向に移動し、クランプレバー１９の吸い込み部１９ｉの押し込みを解除する。そのため、クランプレバー１９は凸部１９ｂ、１９ｃを結んだ線Ｃ１の回りでバネ部材２０の付勢力によって回動し、受け部１９ｊがベーストップ５５に当接することによりクランプレバー１９の回動が停止する。この際、クランプ部材１８はディスク２３をディスク駆動モータ６に挟装し、クランプレバー１９によって回転を妨げない状態になっている。
【００９２】
図２７（ｃ）のクランプ状態からクランプ部材１８をディスク２３から解除させるアンクランプ動作は、第２ディスクドライブレバー６０を逆に動作させ、図２７（ｂ）へ向かう。この際、クランプ部材１８は内蔵された磁石の強い磁力によって、ディスク２３をディスク駆動モータ６に挟装している。そのため、第２ディスクドライブレバー６０のカム溝６０ｅによるクランプレバー１９の吸い込み部１９ｉの押し込みだけでは、第２ディスクドライブレバー６０やクランプレバー１９の部材が撓むだけで、アンクランプ動作が困難となる。そこで、図２６に示すように、クランプレバー１９はクランプ部材１８をディスク回転軸方向に移動させる凸部１９ｂと１９ｃを結んだ線Ｃ１の回動軸を持ち、クランプ部材１８の回転軸を通り回動軸Ｃ１に平行な平行線Ｃ２に対し、回動軸Ｃ１と反対側に、第３ディスクドライブレバー６１との当接部である先端部１９ｋを有している。また、クランプレバー駆動部である第３ディスクドライブレバー６１の先端部にカム部６１ｂが設けられている。アンクランプ動作においては、第３ディスクドライブレバー６１の先端部に設けられたカム部６１ｂにより、クランプレバー１９の先端部１９ｋを押し上げ、クランプレバー１９を回転軸Ｃ１の回りで回動させることにより、クランプ状態を解除させる。このことで、回動軸である支点に対しクランパの回転軸Ｃ１の外側でクランプレバー１９を回動する。これにより、ディスク排出時、クランプ部材１８をディスク駆動モータ６から持ち上げる駆動力を低減することができ、クランプレバー１９の強度および駆動力の確保を容易することが可能となる。その結果、信頼性の優れたディスククランプ装置を提供することができる。
【００９３】
図２８は、ディスクローディング機構およびクランプ部材駆動機構において、ディスクを排出したイジェクト状態を示している。第１ディスクドライブレバー５４および第２ディスクドライブレバー６０は、それぞれ反時計まわり方向に回動される。そして、奥ディスクレバー５９のピン５９ｃが第２ディスクドライブレバー６０の溝部６０ｄに押し込まれ、ディスク保持部５９ｂはディスク２３を排出する方向に回動する。これにより、ディスク２３はディスク保持部材５７ｂ、５８ｂ、５９ｂによって押し上げられた後、挿入口３方向へ移動され、ディスク２３の取出しが容易となる。排出されたディスク２３を再度挿入するときは、排出されたディスク２３をそのまま押し込むことで、ディスク挿入が可能となる。
【００９４】
上述した図２０から図２８までの動作により、クランプ部材１８を取り付けたクランプレバー１９を移動させ、未使用時のディスクドライブ装置２の奥行き寸法を小さくすることができる。同時に、ディスクドライブ装置２の動作時には、伸縮部３５が伸長してディスク２３の収容部を確保するとともに、ディスクローディング機構によりディスク２３を所定位置に装填し、かつ、クランプ部材駆動機構により、ディスクをターンテーブル６ａに対して確実に保持することができる。これにより、簡易な構成で小型化を促進し、十分に実用に供し得る操作性の優れたディスクドライブ装置が得られる。
【００９５】
次に、保護部材として機能するディスクガイドレバー６８について更に詳細に説明する。図２９は、フロントトップ２９を取り除いた伸縮部３５を示す平面図、図３０（ａ）は、ディスクガイドレバー６８を除いた伸縮部の右側面図、図３０（ｂ）は、ディスクガイドレバー６８を取り付けた伸縮部における図２９の略中央部断面の右側面図、図３０（ｃ）は伸縮部の略中央部断面の右側面図で、ディスク駆動部４のディスク駆動部ベース５とディスク駆動モータ６を模式的に示している。フロントボトム３４は、前面から奥方向に延びた腕部３４ｄ、３４ｅを有し、これらの腕部はディスク挿入口３の左右外側に設けられている。腕部３４ｄ、３４ｅの間を橋渡しするフロントレバー６６が設けられている。フロントレバー６６は腕部４ｄ、３４ｅに対向したレバー部６６ａ、６６ｂに回動中心６６ｃ、６６ｄを持ち、レバー部６６ａ、６６ｂ間を延びたディスク挿入口３より大きい開口部を形成した前面部６６ｅを有している。フロントレバー６６は、回動中心６６ｃ、６６ｄを結んだ直線を中心に回動可能に取り付けられている。レバー部６６ｂとフロントボトム３４の前面に形成されたフック部３４ｆとの間に引っ張りバネ６７が架設され、フロントレバー６６の前面部６６ｅを図中左の上方向に付勢している。これにより、フロントレバー６６は、図示していないフロントトップ２９の上面を構成する板材の裏側に当接して停止している。
【００９６】
ディスクガイド部材であるディスクガイドレバー６８は回動中心６８ａ，６８ｂを有し、これらの回動中心６８ａ，６８ｂは、フロントレバー６６の前面部６６ｅの下側開口部の曲げ部６６ｆに設けられている。そして、フロントレバー６６は、回動中心６８ａ、６８ｂを結んだ直線の回りで回動可能に取り付けられている。図２９に示すように、ディスクガイドレバー６８はほぼ板状に形成され、その上面、つまり、対向面は、略平面で、挿入されたディスク２３の外形より少なくとも一部がはみ出す大きさの形状を有している。ディスクガイドレバー６８の裏面には、ディスクガイドレバー６８の移動をガイドするカム部６８ｃが形成されている。図３０（ｂ）および図３１で示すように、伸縮部３５が縮小位置に移動した状態において、ディスクガイドレバー６８は規制位置に移動され、ディスク２３とディスク駆動モータ６のターンテーブル６ａとの間に配置され、対向面は挿入されたディスク２３と対向可能に位置している。図３１（ａ）は、ディスク挿入が可能なスタンバイ状態を示し、図１６（ｂ）に、図２９の伸縮部３５からフロントトップ２９を取り除いた平面図を追加した状態を示している。図１６（ｂ）で、ディスク挿入時において、ディスク挿入先端部２３ａを無理やり下げたまま、傾けて挿入したときは、ディスク２３の記録面とディスク駆動モータ６のターンテーブル６ａとが接触する心配がある。ディスクガイドレバー６８を設けることにより、ディスク挿入時において、ディスク挿入先端部２３ａを無理やり下げたまま、傾けて挿入したときは、図３０（ｃ）のように、ディスク挿入先端部２３ａの外周縁がディスクガイドレバー６８の上面にあたり、ディスクの記録面とターンテーブル６ａとが接触することを防いでいる。このことで、ディスク面の傷つき防止を防止し、信頼性の優れたディスクドライブ装置を提供することができる。
【００９７】
図３０（ｄ）は、図３０（ａ）の縮小状態から伸縮部３５が伸長した状態でのフロントレバー６６の回動状態を示し、図３０（ｅ）は、図３０（ｂ）の縮小状態から伸縮部３５が伸長した状態でのフロントレバー６６に取り付いたディスクガイドレバー６８の移動状態とディスク駆動部ベース５とディスク駆動モータ６とダンパーベース２２のボス２２ｅとを模式的に示している。また、図３１（ｂ）は、図１８（ｂ）のクランプ状態に図２９の伸縮部３５から、フロントトップ２９を取り除いた平面図を追加した状態を示している。ベース体２４の右折り曲げ部２４ｃの内側には、連結スライダー６９が、伸縮部３５の伸縮方向Ａに沿ってスライド可能に取り付けられている。伸縮部３５が伸長する途中で、フロントレバー６６のレバー部６６ｂに形成されたフック部６６ｇと連結スライダー６９の係止部６９ａとが係合する。伸長状態の所定量手前で、連結スライダー６９は、図示しない右折り曲げ部２４ｃの停止部にあたり停止し、フロントレバー６６のレバー部６６ｂに形成されたフック部６６ｇの移動を停止させる。伸長状態の所定量手前から伸長完了位置までの移動により、伸縮部３５と一体であるフロントレバー６６の回動中心６６ｄが移動し、図３０（ｄ）において、フロントレバー６６は前面部６６ｅが図中下方向に回動する。これにより、ディスクガイドレバー６８の回動中心６８ａ，６８ｂは、クランプ状態において所定量下がり、ディスクガイドレバー６８は退避位置に移動される。この退避位置において、ディスクガイドレバー６８は、ディスク２３に対し、ディスク２３の回転を妨げない隙間を確保できる。
【００９８】
図３１（ａ）に示す状態において、ディスク駆動モータ６の上に設置されたディスクガイドレバー６８は、伸縮部３５に連動して移動し、図３１（ｂ）で示すように、クランプ状態においては、ディスク駆動モータ６から外れた退避位置に移動される。図３０（ｅ）において、ターンテーブル６aのディスク搭載面６ｂよりも図中下方向に低く設定されたダンパーベース２２のボス２２ｅによってディスクガイドレバー６８を受けることにより、ディスクガイドレバー６８の全域が、クランプ状態において所定量下がったディスク２３の回転を妨げない隙間を確保できる。伸縮部３５の伸縮中、ディスクガイドレバー６８は、ダンパーベース２２のボス２２ｅとターンテーブル６aの位置決め部６ｃとのいずれかで受け、裏面に形成したカム部６８ｃにより、受け渡しを行う。
【００９９】
図３０（ｅ）の伸長状態から図３０（ｂ）の縮小状態への移行では、フロントレバー６６の前面部６６ｅのスライドにより、クランプ部材１８を押し込み、スタンバイ状態では、クランプレバー１９は、ベーストップ５５の外形内に位置する。
【０１００】
図３０（ｂ）において、縮小状態におけるディスクガイドレバー６８のディスク挿入口３側の図中上下方向の高さは、挿入されるディスクと所定量の離れた位置にある。このことで、異型ディスクなどを挿入されたとき、伸長状態から縮小状態になるディスク排出時に、異型ディスクをディスクガイドレバー６８で受け、ディスク挿入口３から排出することができる。
【０１０１】
以上のように構成されたディスクドライブ装置２によれば、簡易な構成で小型化を促進し平面型の表示装置１に搭載することができ、更に、操作性および信頼性に優れたディスクドライブ装置が得られる。同時に、小型のディスクドライブ装置を内蔵した平面型表示装置を提供することができる。
【０１０２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、上述した実施形態によれば、ディスクドライブ装置２は、モニター１の外部筐体１ｃにおいて、表示パネル１ｂの下方に設けた構成としたが、これに限定されることなく、表示パネルの側方あるいは上方に設けてもよい。
【図面の簡単な説明】
【０１０３】
【図１】図１は、この発明の実施形態に係る平面型の表示装置を示す斜視図。
【図２】図２は、上記表示装置におけるディスクドライブ装置の使用状態を示す斜視図。
【図３】図３は、上記表示装置に搭載されたディスクドライブ装置のディスク駆動部を示す平面図。
【図４】図４は、上記ディスク駆動部を示す側面図。
【図５】図５は、上記ディスク駆動部の背面図。
【図６】図６は、上記ディスクドライブ装置を一部破断して前面から見た正面図。
【図７】図７は、上記ディスクドライブ装置のベースガイドを右側面から見た側面図。
【図８】図８は、上記ディスクドライブ装置のスライダーガイドを右側面から見た側面図。
【図９】図９は、上記ディスクドライブ装置のフロントトップガイドを右側面から見た側面図。
【図１０】図１０は、上記ディスクドライブ装置の伸縮部をそれぞれ上面、右側面、裏面を示す図。
【図１１】図１１は、上記ディスクドライブ装置において伸縮部が縮小した状態を示す側面図。
【図１２】図１２は、上記ディスクドライブ装置において伸縮部が伸長した状態を示す側面図。
【図１３】図１３は、上記ディスクドライブ装置において伸縮部が縮小した状態を示す側面図。
【図１４】図１４は、上記ディスクドライブ装置において伸縮部が伸長した状態を示す側面図。
【図１５】図１５は、上記ディスクドライブ装置のディスク駆動部を示す平面図。
【図１６】図１６は、上記ディスク駆動部のスタンバイ状態を示す平面図。
【図１７】図１７は、上記ディスクドライブ装置におけるカムスライダーの移動に伴う状態の移行を説明するために示すタイミングチャート。
【図１８】図１８は、上記ディスク駆動部のクランプ状態を示す平面図。
【図１９】図１９は、上記ディスクドライブ装置におけるディスク駆動部イジェクト状態を示す平面図。
【図２０】図２０は、上記ディスクドライブ装置におけるディスク駆動部のスタンバイ状態を示す平面図。
【図２１】図２１は、上記ディスクドライブ装置におけるディスク駆動部のスタンバイ状態を示す平面図。
【図２２】図２２は、上記ディスク駆動部における奥ディスクレバーの先端部に設けられたディスク保持部の動作をそれぞれ示す図。
【図２３】図２３は、上記ディスクドライブ装置において、ディスクが正しく挿入された際の奥ディスクレバーの動作を示す平面図およびディスク保持部を拡大して示す平面図。
【図２４】図２４は、上記ディスクドライブ装置において、ディスクが傾いて挿入された際の奥ディスクレバーの動作を示す平面図およびディスク保持部を拡大して示す平面図。
【図２５】図２５は、上記ディスクドライブ装置におけるディスク駆動部のクランプ状態を示す平面図。
【図２６】図２６は、上記ディスクドライブ装置のクランプレバーを示す平面図。
【図２７】図２７は、上記ディスクドライブ装置のクランプレバーの動作を説明するための断面図。
【図２８】図２８は、上記ディスクドライブ装置におけるディスク駆動部のイジェクト状態を示す平面図。
【図２９】図２９は、上記ディスクドライブ装置における伸縮部を一部破断して示す平面図。
【図３０】図３０は、上記ディスクドライブ装置における伸縮部の要部の動作をそれぞれ示す図。
【図３１】図３１は、上記ディスクドライブ装置におけるディスク駆動部の動作状態をそれぞれ示す平面図。
【図３２】図３２は、上記ディスク駆動部における光ピックアップのＦＰＣケーブルの別の形態を示す図。
【符号の説明】
【０１０４】
１…薄型モニター，２…ディスクドライブ装置、３…ディスク挿入口、
４…ディスク駆動部、５…ディスク駆動部ベース，６…ディスク駆動モータ、
７…光ピックアップ、７ｂ…ＦＰＣケーブル，７ｃ…押さえ部材，
８，９…ガイドシャフト、１５…バネ部材，１６…ステッピングモータ、
１８…クランプ部材，１９…クランプレバー、２０…バネ部材、
２１…ネジ部材、２２…ダンパーベース、２３…ディスク、２４…ベース体、
２６ａ，２６ｂ…与圧バネ、２９…フロントトップ，３２…左アーム，
３３…右アーム，３４…フロントボトム，３５…伸縮部、３６…フロントパネル、
３８…防塵部材，３９…メイン基盤，４０…基盤カバー，４２…モードモータ、
４３…ウォーム、４４〜４６…ギア、４７…カムスライダー，４８…スイッチ基盤，
４９…モードスイッチ，５０…ディスク検出スイッチ，５１…ケーブル，
５２…ＦＦＣケーブル，５３…スイッチレバー，５４…第１ディスクドライブレバー、
５５…ベーストップ，５７…左ディスクレバー、５８…右ディスクレバー、
５９…奥ディスクレバー，６０…第２ディスクドライブレバー，
６１…第３ディスクドライブレバー、６２，６３…引っ張りバネ、
６４…奥検出レバー、６５…バネ、６６…フロントレバー、６７…引っ張りバネ、
６８…ディスクガイドレバー、６９…連結スライダー，
７０…モータＦＰＣケーブル、７１…操作キー部、７２…可視部
【図１】
2006236491.tif 000003
【図２】
2006236491.tif 000004
【図３】
2006236491.tif 000005
【図４】
2006236491.tif 000006
【図５】
2006236491.tif 000007
【図６】
2006236491.tif 000008
【図７】
2006236491.tif 000009
【図８】
2006236491.tif 000010
【図９】
2006236491.tif 000011
【図１０】
2006236491.tif 000012
【図１１】
2006236491.tif 000013
【図１２】
2006236491.tif 000014
【図１３】
2006236491.tif 000015
【図１４】
2006236491.tif 000016
【図１５】
2006236491.tif 000017
【図１６】
2006236491.tif 000018
【図１７】
2006236491.tif 000019
【図１８】
2006236491.tif 000020
【図１９】
2006236491.tif 000021
【図２０】
2006236491.tif 000022
【図２１】
2006236491.tif 000023
【図２２】
2006236491.tif 000024
【図２３】
2006236491.tif 000025
【図２４】
2006236491.tif 000026
【図２５】
2006236491.tif 000027
【図２６】
2006236491.tif 000028
【図２７】
2006236491.tif 000029
【図２８】
2006236491.tif 000030
【図２９】
2006236491.tif 000031
【図３０】
2006236491.tif 000032
【図３１】
2006236491.tif 000033
【図３２】
2006236491.tif 000034